(57)【要約】【課題】放出コストの低減および組付け作業性の向上を実現したうえで、高い信頼性を確保しつつ時間差や速度差をつけて子弾を放出する。【解決手段】ロケットＲの円周上に位置して子弾Ｂを遠心方向に解放可能に収容する少なくとも１個の子弾収容コンテナＣに連通する燃焼室２を複数備えていると共に、これらの燃焼室２にそれぞれ配置した子弾放出用火薬３を備え、複数の燃焼室２のうちの第１段燃焼室２Ａの子弾放出用火薬３Ａには点火器４を接続し、第１段燃焼室２Ａに続く第２段以降の燃焼室２Ｂ，２Ｃには、先の燃焼室２Ａ，２Ｂ内における子弾放出用火薬３Ａ，３Ｂの燃焼により生じた燃焼ガスＧを受けて順次作動して各々の子弾放出用火薬３Ｂ，３Ｃに点火する点火機構１０をそれぞれ設けた。【選択図】　　　　図１
2004044884.tif 000002
【特許請求の範囲】
【請求項１】
ロケットの円周上に位置して子弾を遠心方向に解放可能に収容する少なくとも１個の子弾収容コンテナに連通する燃焼室を複数備えていると共に、これらの燃焼室にそれぞれ配置した子弾放出用火薬を備え、複数の燃焼室のうちの第１段燃焼室の子弾放出用火薬には点火器を接続し、この第１段燃焼室に続く第２段以降の燃焼室には、先の燃焼室内における子弾放出用火薬の燃焼により生じた燃焼ガスを受けて順次作動して各々の子弾放出用火薬に点火する点火機構をそれぞれ設けたことを特徴とするロケット搭載子弾放出装置。
【請求項２】
点火機構は、先の燃焼室内における子弾放出用火薬の燃焼により生じた燃焼ガスを受けて子弾放出用火薬側に移動するピストンと、先の燃焼室内の燃焼圧力が所定の圧力になるまでピストンの移動を規制する拘束手段と、ピストンの前進側に位置して子弾放出用火薬を発火させるトリガを具備している請求項１に記載のロケット搭載子弾放出装置。
【請求項３】
複数の燃焼室は、ロケットの機軸上に直列に配置してある請求項１または２に記載のロケット搭載子弾放出装置。
【発明の詳細な説明】
【０００１】
【発明が属する技術分野】
本発明は、ロケットに搭載した複数の子弾を目的地に散布するのに利用されるロケット搭載子弾放出装置に関するものである。
【０００２】
【従来の技術】
複数の子弾を搭載したロケットにおいて、複数の子弾を目的地に効果的に散布するには、子弾をロケットの円周上に配置して遠心方向に放出するようになすことが有効であり、放出に際して速度差や時間差を設けることがより一層有効である。
【０００３】
従来、上記したロケット搭載子弾放出装置としては、例えば、図６に示すように、機軸Ｌａ上に配置した燃焼室５２と、この燃焼室５２の端部に配置した放出用火薬５３と、点火器５４を備えたロケット搭載子弾放出装置５１があり、燃焼室５２には、その周囲でかつ機軸Ｌａ方向に沿って配列された複数の子弾収容コンテナＣｏと連通するガス噴射孔５５が設けてあって、放出用火薬５３の燃焼により生じたガスＧａをガス噴射孔５５から各子弾収容コンテナＣｏにそれぞれ噴出させることによって、ロケットの円周上に位置する複数個の子弾Ｓｂを遠心方向（図示上下方向）に放出するようになっている。
【０００４】
また、他のロケット搭載子弾放出装置としては、例えば、図７に示すように、機軸Ｌａ上に直列に配置した３段の燃焼室６２と、これらの燃焼室６２の各端部にそれぞれ配置した放出用火薬６３と、各々の点火器６４を備えたロケット搭載子弾放出装置６１があり、燃焼室６２には、各々の周囲に配置された複数の子弾収容コンテナＣｏと連通するガス噴射孔６５がそれぞれ設けてある。
【０００５】
このロケット搭載子弾放出装置６１では、機軸Ｌａ上に位置する３段の燃焼室６２において、時間差をもって各々の放出用火薬６３を順次燃焼させ、これらの放出用火薬６３の燃焼により生じたガスＧａをガス噴射孔６５から各子弾収容コンテナＣｏにそれぞれ噴出させることによって、図示例では後段側の子弾Ｓｂから順に遠心方向（図示上下方向）に放出するようになっている。
【０００６】
【発明が解決しようとする課題】
ところが、上記したロケット搭載子弾放出装置５１では、１個の燃焼室５２の内部における放出用火薬５３の燃焼により生じたガスＧａを各子弾収容コンテナＣｏに振り分けるようにしている都合上、図６からも明らかなように、複数個の子弾Ｓｂの放出に時間差や速度差を設定することができないという問題があった。
【０００７】
一方、ロケット搭載子弾放出装置６１では、機軸Ｌａ上に３段の燃焼室６２を直列に配置して、各々の放出用火薬６３を順次燃焼させるようにしているので、時間差をもった子弾Ｓｂの放出を行うことはできるものの、配線が必要な点火器６４を燃焼室６２の数だけ設けなくてはならないことから、放出コストの上昇を招くと共に信頼性が高いとは言えないうえ、点火器６４の収納や配線に工夫を要する分だけ組付け作業性が悪いという問題があり、これらの問題を解決することが従来の課題となっていた。
【０００８】
【発明の目的】
本発明は、上記した従来の課題に着目してなされたもので、放出コストの低減および組付け作業性の向上を実現したうえで、高い信頼性を確保しつつ時間差や速度差をつけて子弾を放出することができるロケット搭載子弾放出装置を提供することを目的としている。
【０００９】
【課題を解決するための手段】
本発明の請求項１に係わるロケット搭載子弾放出装置は、ロケットの円周上に位置して子弾を遠心方向に解放可能に収容する少なくとも１個の子弾収容コンテナに連通する燃焼室を複数備えていると共に、これらの燃焼室にそれぞれ配置した子弾放出用火薬を備え、複数の燃焼室のうちの第１段燃焼室の子弾放出用火薬には点火器を接続し、この第１段燃焼室に続く第２段以降の燃焼室には、先の燃焼室内における子弾放出用火薬の燃焼により生じた燃焼ガスを受けて順次作動して各々の子弾放出用火薬に点火する点火機構をそれぞれ設けた構成としており、このロケット搭載子弾放出装置の構成を従来の課題を解決するための手段としている。
【００１０】
本発明の請求項２に係わるロケット搭載子弾放出装置において、点火機構は、先の燃焼室内における子弾放出用火薬の燃焼により生じた燃焼ガスを受けて子弾放出用火薬側に移動するピストンと、先の燃焼室内の燃焼圧力が所定の圧力になるまでピストンの移動を規制する拘束手段と、ピストンの前進側に位置して子弾放出用火薬を発火させるトリガを具備している構成とし、本発明の請求項３に係わるロケット搭載子弾放出装置において、複数の燃焼室は、ロケットの機軸上に直列に配置してある構成としている。
【００１１】
【発明の作用】
本発明の請求項１に係わるロケット搭載子弾放出装置において、上記した構成としているので、点火器による第１段燃焼室の子弾放出用火薬に対する点火がなされると、この第１段燃焼室の子弾放出用火薬が燃焼するのに続いて、点火機構により第２段以降の燃焼室の各子弾放出用火薬が順次燃焼することとなり、各燃焼室に連通する子弾収容コンテナに噴出するそれぞれの燃焼ガスによって、各子弾収容コンテナから子弾が時間差をもって放出されることとなる。この際、複数の燃焼室における各子弾放出用火薬の量を変更すれば、速度差をもった子弾の放出を行い得ることとなる。
【００１２】
また、複数の燃焼室のうちの第１段燃焼室の子弾放出用火薬の点火にのみ点火器を用いるため、すなわち、点火器を１系統設ければ事足りるため、低コストでしかも高い信頼性をもって子弾の時間差放出を行い得ることとなり、加えて、収納や配線に工夫を要する点火器を１系統しか用いないので、その分だけ組付け作業性が良好なものとなる。
【００１３】
本発明の請求項２に係わるロケット搭載子弾放出装置において、上記した構成としたため、第２段以降の燃焼室における各子弾放出用火薬の点火を簡単な構造で行い得ることとなって、放出コストのより一層の低減が図られることとなり、本発明の請求項３に係わるロケット搭載子弾放出装置では、上記した構成としているので、ロケット内における収まりがよいものとなるうえ、時間差をもって放出した子弾同士が互いに干渉し合う可能性が少なくなる。
【００１４】
【発明の効果】
本発明の請求項１に係わるロケット搭載子弾放出装置によれば、上記した構成としているので、低コストでかつ高い信頼性を確保しつつ時間差や速度差をもって子弾を放出することができるうえ、組付け作業性の大幅な向上を実現することが可能であるという非常に優れた効果がもたらされる。
【００１５】
本発明の請求項２に係わるロケット搭載子弾放出装置では、上記した構成としているため、放出コストのより一層の低減を実現でき、本発明の請求項３に係わるロケット搭載子弾放出装置では、上記した構成としたから、ロケット内における効率のよい収納が可能であり、加えて、時間差をもって放出した子弾同士が互いに干渉し合うのを少なく抑えることができるという非常に優れた効果がもたらされる。
【００１６】
【実施例】
以下、本発明を図面に基づいて説明する。
【００１７】
図１は本発明に係わるロケット搭載子弾放出装置の一実施例を示している。
【００１８】
図１に示すように、このロケット搭載子弾放出装置１は、ロケットＲの円周上に位置して子弾Ｂを遠心方向（図示上下方向）に解放可能に収容する２個の子弾収容コンテナＣにガス噴射孔２ａを介して連通する燃焼室２を複数備えていると共に、これらの燃焼室２の前端（図示左端）にそれぞれ配置した子弾放出用火薬３を備えており、複数の燃焼室２は、ロケットＲの機軸Ｌ上に直列に配置してある。
【００１９】
この場合、図２にも示すように、複数の燃焼室２のうちの第１段燃焼室２Ａの子弾放出用火薬３Ａには点火器４が接続してあり、この第１段燃焼室２Ａに続く第２段以降の燃焼室２Ｂ，２Ｃ，…には、図３にも示すように、先の燃焼室２Ａ（２Ｂ，２Ｃ）内における子弾放出用火薬３Ａ（３Ｂ，３Ｃ）の燃焼により生じた燃焼ガスを受けて順次作動して各々の子弾放出用火薬３Ｂ，３Ｃに点火する点火機構１０がそれぞれ設けてある。
【００２０】
この点火機構１０は、図４および図５にも示すように、子弾放出用火薬３Ｂ（３Ｃ）を充填したシリンダ状カートリッジ１１に収容されて先の燃焼室２Ａ（２Ｂ）内における子弾放出用火薬３Ａ（３Ｂ）の燃焼により生じた燃焼ガスを受けて子弾放出用火薬３Ｂ（３Ｃ）側に移動するピストン１２と、シリンダ状カートリッジ１１およびピストン１２間に跨って埋め込まれて先の燃焼室２Ａ（２Ｂ）内の燃焼圧力が所定の圧力になるまでピストン１２の移動を規制する拘束手段としてのシャーピン１３と、ピストン１２の前進側に位置して点火用火薬５を介して子弾放出用火薬３Ｂ（３Ｃ）を発火させるトリガ１４を具備している。
【００２１】
なお、図２〜図５における符号６はシールリングである。
【００２２】
このロケット搭載子弾放出装置１において、まず、図２に示すように、点火器４による第１段燃焼室２Ａの子弾放出用火薬３Ａに対する点火がなされると、この第１段燃焼室２Ａの子弾放出用火薬３Ａが燃焼することで生じた燃焼ガスＧが、ガス噴射孔２ａを通して子弾収容コンテナＣ，Ｃに噴出するので、ロケットＲの頭部側（図１左側）の子弾Ｂ，Ｂの放出が行われる。
【００２３】
次いで、図３に示すように、第１段燃焼室２Ａ内の燃焼圧力が所定の圧力になると、図４に示すように、その圧力でシャーピン１３が切断され、このシャーピン１３による拘束が解かれたピストン１２が、第１段燃焼室２Ａ内の燃焼ガスＧを受けて子弾放出用火薬３Ｂ側に移動する。
【００２４】
そして、図５に示すように、ピストン１２の前進側に位置するトリガ１４が点火用火薬５を介して子弾放出用火薬３Ｂを発火させると、第２段燃焼室２Ｂの子弾放出用火薬３Ｂが燃焼することで生じた燃焼ガスＧが、上記と同様にしてガス噴射孔２ａを通して子弾収容コンテナＣ，Ｃに噴出するので、図１中央の子弾Ｂ，Ｂの放出が行われることとなり、続いて、第３段以降の燃焼室２の各子弾放出用火薬３が順次燃焼することで、各子弾収容コンテナＣから子弾Ｂが時間差をもって放出されることとなる。
【００２５】
この際、複数の燃焼室２における各子弾放出用火薬３の量を変更すれば、速度差をもった子弾Ｂの放出を行い得ることとなる。
【００２６】
上記したロケット搭載子弾放出装置１では、複数の燃焼室２のうちの第１段燃焼室２Ａにおける子弾放出用火薬３Ａの点火用として、１系統の点火器４を設ければ済むため、低コストでしかも高い信頼性をもって子弾Ｂの時間差放出を行うことができ、加えて、収納や配線に工夫がいる点火器４を１系統しか用いない分だけ組付け作業性が良好なものとなる。
【００２７】
また、上記したロケット搭載子弾放出装置１において、ピストン１２と、ピストン１２の移動を規制するシャーピン１３と、子弾放出用火薬３を発火させるトリガ１４とから点火機構１０を構成しているので、第２段以降の燃焼室２における各子弾放出用火薬３の点火が簡略な構造でなされることとなり、その結果、放出コストのより一層の低減が図られることとなり、さらに、上記したロケット搭載子弾放出装置１では、複数の燃焼室２をロケットＲの機軸Ｌ上に直列に配置しているので、ロケットＲ内における収まりがよく、時間差をもって放出した子弾Ｂ同士が互いに干渉し合うようなことがほとんどなくなる。
【００２８】
本発明に係わるロケット搭載子弾放出装置の詳細な構成は、上記した実施例に限定されるものではない。
【図面の簡単な説明】
【図１】本発明に係わるロケット搭載子弾放出装置の一実施例を示す動作説明図である。
【図２】図１におけるロケット搭載子弾放出装置の第１段燃焼室の子弾放出用火薬を点火する状況を示す拡大断面説明図である。
【図３】図１におけるロケット搭載子弾放出装置の第２段燃焼室の子弾放出用火薬を点火する点火機構の作動前の状態を示す拡大断面説明図である。
【図４】図３における点火機構の作動直後の状態を示す拡大断面説明図である。
【図５】図３における点火機構が作動して燃焼ガスが発生した状態を示す拡大断面説明図である。
【図６】従来におけるロケット搭載子弾放出装置を示す動作説明図である。
【図７】従来における他のロケット搭載子弾放出装置を示す動作説明図である。
【符号の説明】
１　ロケット搭載子弾放出装置
２　燃焼室
３　子弾放出用火薬索牽引ロケット
４　点火器
１０　点火機構
１２　ピストン
１３　シャーピン（拘束手段）
１４　トリガ
Ｂ　子弾
Ｃ　子弾収容コンテナ
Ｇ　燃焼ガス
Ｌ　機軸
Ｒ　ロケット
【図１】
2004044884.tif 000003
【図２】
2004044884.tif 000004
【図３】
2004044884.tif 000005
【図４】
2004044884.tif 000006
【図５】
2004044884.tif 000007
【図６】
2004044884.tif 000008
【図７】
2004044884.tif 000009